(57)【特許請求の範囲】
【請求項１】
上部の躯体から懸垂する吊りボルトの下端部に接続され、野縁を支持する野縁受けを支持するハンガーを保持しながら、前記上部の躯体と前記吊りボルトの下端部との間に架設される天井ブレースを受ける支持部材であり、
前記天井ブレースと前記野縁が接続される主構成材と、この主構成材と共に前記ハンガーを前記野縁受けの幅方向に挟み込みながら、前記主構成材に接続される補助材を備え、
前記主構成材は前記補助材に重なって接合される垂直部と、この垂直部に連続し、前記垂直部から下方へかけて前記補助材から遠ざかる向きに傾斜した傾斜部と、この傾斜部に連続し、前記野縁に重なって接合される水平部を有することを特徴とする天井ブレース用支持部材。
【請求項２】
少なくとも前記傾斜部と前記垂直部との間、及び前記傾斜部と前記水平部との間に、それぞれの境界線回りの相対的な回転を生じにくくするリブが形成されていることを特徴とする請求項１に記載の天井ブレース用支持部材。
【請求項３】
前記主構成材の前記傾斜部と前記垂直部は両者間の境界線の回りに回転可能な状態にあることを特徴とする請求項１に記載の天井ブレース用支持部材。
【請求項４】
前記主構成材の前記垂直部は前記野縁受けの幅方向片側に係合し得る状態にあることを特徴とする請求項１乃至請求項３のいずれかに記載の天井ブレース用支持部材。
【請求項５】
前記主構成材の前記垂直部の幅方向両側に前記ハンガーを前記野縁受けの軸方向に挟み込んで対向し、前記天井ブレースが接合される側面垂直部が形成され、この対向する前記側面垂直部と前記垂直部の頂部に跨り、水平板が形成されている、もしくは一体化していることを特徴とする請求項１乃至請求項４のいずれかに記載の天井ブレース用支持部材。
【発明の詳細な説明】
【技術分野】
【０００１】
本発明は上階の躯体から懸垂する吊りボルトに支持されながら、天井材を支持する野縁と、躯体との間に架設される天井ブレースの下端部が接続される天井ブレース用支持部材に関するものである。
【背景技術】
【０００２】
天井材を支持する野縁と上階の躯体との間に、地震時の野縁、あるいは天井材の揺れを抑制するための天井ブレースを架設する場合、天井ブレースは地震時の水平力に対する抵抗上、上階の躯体から懸垂する吊りボルトと共にトラスを形成するように架設されることが合理的であるから、吊りボルトの下端部に接続された、野縁を支持する支持部材に接続されることが多い（特許文献１〜３参照）。
【０００３】
吊りボルトの下端部に接続される支持部材には、基本的に野縁の上段に位置し、野縁を支持する野縁受けと天井ブレースが直接、接続されるため、支持部材は野縁受けと天井ブレースからの力を受けることになる。但し、支持部材が野縁にも接続される場合には（特許文献３）、支持部材は地震時に野縁の軸方向に作用する水平力を負担することにもなるため、支持部材自体はこの野縁軸方向の水平力を天井ブレースに伝達できるだけの剛性を持つことが必要とされる。
【先行技術文献】
【特許文献】
【０００４】
【特許文献１】特開２００７−１００３５８号公報（図２、図３）
【特許文献２】特開２００８−２４８５１４号公報（図１）
【特許文献３】特開２０１５−７３２６号公報（図１、図２）
【発明の概要】
【発明が解決しようとする課題】
【０００５】
特許文献３の支持部材（取付具１０）は野縁受けを幅方向に挟み込みながら、吊りボルト下端部のハンガーを保持すると同時に、天井ブレースにも接続されるよう、図６に示すように野縁受けの幅方向に２分割された形態をしている。分割された部品の内、天井ブレースが接続される第一部材２０の野縁受けを挟持する部分の垂直部２１は鉛直面をなし、その下端部に、野縁に接続される水平部２３が連続して形成されている。
【０００６】
垂直部２１の幅方向両側からはハンガーを野縁受けの軸方向に挟み込む側面垂直部２２が連続して形成され、側面垂直部２２の下に野縁受けが納まる関係で、側面垂直部２２の下側は切り欠かれているため、垂直部２１の下側は側面垂直部２２が連ならない形状になっている。
【０００７】
垂直部２１の上側の部分には支持部材を構成する第二部材３０の上端部が重なって接合されるため、図６に示すように野縁が接続される水平部２３から野縁軸方向の力ｆを受けたとき、垂直部２１の下側の第二部材３０との接合部以下の区間が軸方向に垂直な力として負担することになる。図６に示す力ｆが矢印と逆向きでも同じ状況になる。
【０００８】
このとき、垂直部２１の下側の部分は野縁軸方向の力を面外方向に受け、垂直部２１の下側部分と上側部分との境界に力が集中するため、垂直部２１の下側部分が面外方向に変形し易い状態にある。また垂直部２１の下側の区間は第二部材３０との接合部の回りに作用する曲げモーメントを負担するため、曲げモーメントが最大になる第二部材３０との接合部が構造上の弱点になり易く、この接合部に曲げが生じ易くなる。
【０００９】
本発明は上記背景より、野縁軸方向の力に対して変形が生じにくい形態の天井ブレース用支持部材を提案するものである。
【課題を解決するための手段】
【００１０】
請求項１に記載の発明の天井ブレース用支持部材は、上部の躯体から懸垂する吊りボルトの下端部に接続され、野縁を支持する野縁受けを支持するハンガーを保持しながら、前記上部の躯体と前記吊りボルトの下端部との間に架設される天井ブレースを受ける支持部材であり、
前記天井ブレースと前記野縁が接続される主構成材と、この主構成材と共に前記ハンガーを前記野縁受けの幅方向に挟み込みながら、前記主構成材に接続される補助材を備え、
前記主構成材が前記補助材に重なって接合される垂直部と、この垂直部に連続し、前記垂直部から下方へかけて前記補助材から遠ざかる向きに傾斜した傾斜部と、この傾斜部に連続し、前記野縁に重なって接合される水平部を有することを構成要件とする。
【００１１】
特許文献３を示す図６と本発明を示す図４との対比から、支持部材６は特許文献３の取付具１０に相当し、主構成材６１と補助材６２はそれぞれ特許文献３の第一部材２０と第二部材３０に相当する。ハンガー２は図２、図３に示すように野縁受け４を支持しながら、野縁受け４をその幅方向に挟持する形状をし、野縁受け４を支持した状態で吊りボルト１の下端部に接続されることで、野縁受け４を吊りボルト１に支持させる。天井ブレース５は上部の躯体と吊りボルト１の下端部との間に架設されるが、天井ブレース５の下端部は吊りボルト１の下端部に接続されたハンガー２を保持する支持部材６の主構成材６１に接続（接合）される。
【００１２】
主構成材６１と補助材６２は野縁受け４の幅方向に互いに対向した状態で互いに接合されることによりハンガー２に支持された野縁受け４を挟持（保持）すると同時に、野縁受け４に支持される。主構成材６１は特許文献３の第一部材２０と同様、野縁受け４の幅方向に主構成材６１に対向する補助材６２に接合される垂直部６１ａと、野縁３に重なって接合される水平部６１ｃを有し、垂直部６１ａと水平部６１ｃをつなぐ部分が鉛直面と水平面に対して傾斜した傾斜部６１ｂになる。
【００１３】
補助材６２は詳しくは特許文献３の第二部材３０と同様、図２、図３に示すように野縁受け４の幅方向に主構成材６１に対向し、主構成材６１の垂直部６１ａと共に野縁受け４を挟持し得る垂直部６２ａと、垂直部６２ａの上端部から主構成材６１側へ張り出す張出部６２ｂと、張出部６２ｂの先端部から立ち上がり、主構成材６１の垂直部６１ａに重なる立上り部６２ｃと、垂直部６２ａの下端部から野縁３の軸方向に、野縁受け４に衝突しない側へ張り出す水平部６２ｄを持つ。主構成材６１の垂直部６１ａはこれに重なる補助材６２の立上り部６２ｃに接合されることで、補助材６２の垂直部６２ａと共に野縁受け４を幅方向に挟持し、保持する。
【００１４】
主構成材６１は水平部６１ｃにおいて例えば図２に示すように野縁３の幅方向両側面に重なって接合されることで、野縁３を支持し、野縁３を吊りボルト１に支持させる。野縁３は補助材６２の水平部６２ｄにおいても支持され、主構成材６１と補助材６２の両水平部６１ｃ、６２ｄの２箇所で支持されるが、補助材６２の水平部６２ｄには接合されないことで、野縁３の軸方向の熱伸縮による応力の発生が回避されている。
【００１５】
主構成材６１の垂直部６１ａと水平部６１ｃ間の傾斜部６１ｂが鉛直面と水平面に対して傾斜することで、傾斜部６１ｂが負担する傾斜部６１ｂの軸方向の力は鉛直方向の成分と水平方向の成分に分けられる。このことは、主構成材６１の傾斜部６１ｂが野縁３軸方向の水平方向の力と鉛直方向の力を負担できることを意味するため、傾斜部６１ｂは水平部６１ｃから伝達される野縁３軸方向の力である水平方向の力を傾斜部６１ｂの軸方向の力として負担できる状態にある。「傾斜部６１ｂの軸方向」は傾斜部６１ｂの傾斜方向（傾斜面に沿った方向）を指す。
【００１６】
主構成材６１の傾斜部６１ｂ自体が野縁３軸方向の力を負担できることで、傾斜部６１ｂと垂直部６１ａの境界線（交線）６１ｈ部分に野縁３軸方向の力を集中させることがなくなり、垂直部６１ａが野縁３軸方向の力を受けることによる面外方向への変形に対する安定性が向上する。詳しく言えば、図４に示すように野縁３に軸方向に水平力ｆが生じたとき、傾斜部６１ｂ軸方向と野縁３軸方向のなす角度をθとすれば、傾斜部６１ｂはｆ／ｃｏｓθの軸方向力を負担し、垂直部６１ａにはｆ・ｔａｎθの反力が生じることで、野縁３の水平力ｆを処理することができ、傾斜部６１ｂと垂直部６１ａの境界に面外方向の力を集中させることがなくなる。傾斜部６１ｂに生じるｆ／ｃｏｓθの水平成分ｆは主構成材６１に接合される補助材６２が負担する。図４に示す力ｆが矢印と逆向きのときには、傾斜部６１ｂと垂直部６１ａに生じる力の向きは逆になる。
【００１７】
図２、図３に示すように主構成材６１の垂直部６１ａが補助材６２の立上り部６２ｃに接合されたとき、前記のように主構成材６１の垂直部６１ａと補助材６２の垂直部６２ａが野縁受け４を幅方向に挟持する。併せて主構成材６１の水平部６１ｃが野縁３に接合されることで、主構成材６１の傾斜部６１ｂと補助材６２、及び主構成材６１の水平部６１ｃと野縁受け４間にある野縁３の区間は野縁受け４を軸方向に見たときに形態上（見かけ上）、トラスを形成する。結果的に野縁３に作用する軸方向の力ｆを傾斜部６１ｂが軸方向の力として負担することが可能になっている。
【００１８】
図４中、主構成材６１の傾斜部６１ｂと垂直部６１ａの境界（交点）部分（図１の境界線６１ｈ部分）では、傾斜部６１ｂの軸方向力と垂直部６１ａの軸方向力が、または傾斜部６１ｂの軸方向力と垂直部６１ａの軸方向力及び補助材６２の高さ方向の力の合力が釣り合いを保とうとする。このため、上記の通り、主構成材６１の傾斜部６１ｂと垂直部６１ａの境界において傾斜部６１ｂがｆ／ｃｏｓθの軸方向力を負担したときに、垂直部６１ａにはｆ・ｔａｎθの反力、または垂直部６１ａと補助材６２の高さ方向の力を合わせてｆ・ｔａｎθの反力が生じることになる。傾斜部６１ｂの軸方向力ｆ／ｃｏｓθの水平成分ｆは補助材６２の反力と釣り合う。
【００１９】
傾斜部６１ｂが上記のｆ／ｃｏｓθの軸方向力を負担し、垂直部６１ａ等と釣り合いを保とうとするとき、水平部６１ｃからの水平方向の力を受けて傾斜部６１ｂが図１に示す垂直部６１ａとの間の境界線６１ｈ、及び水平部６１ｃとの間の境界線６１ｉの回りに相対的な回転を生じる可能性があり、水平部６１ｃと垂直部６１ａが野縁３軸方向に相対変位する可能性がある。
【００２０】
このような状況に対しては、少なくとも傾斜部６１ｂと垂直部６１ａとの間、及び傾斜部６１ｂと水平部６１ｃとの間に、それぞれの境界線６１ｈ、６１ｉ回りの相対的な回転を生じにくくするリブ６１ｇを形成すること（請求項２）が有効である。「相対的な回転を生じにくくする」とは、相対的な回転変形（曲げ変形）に対して補剛する、あるいは曲げ剛性を付与する、の意味である。
【００２１】
傾斜部６１ｂと垂直部６１ａとの間、及び傾斜部６１ｂと水平部６１ｃとの間へのリブ６１ｇの形成により境界線６１ｈ、６１ｉの回りの傾斜部６１ｂの曲げ剛性が上昇する結果、傾斜部６１ｂが垂直部６１ａに対して回転変形しにくくなり、水平部６１ｃが傾斜部６１ｂに対しても回転変形しにくくなるため、水平部６１ｃと垂直部６１ａが野縁３軸方向に相対変位する可能性と相対的に回転変形する可能性が低下する。
【００２２】
「少なくとも」とは、リブ６１ｇがそれぞれの境界線６１ｈ、６１ｉを跨いだ部分にのみ形成される場合の他、傾斜部６１ｂと垂直部６１ａとの間の境界線６１ｈ部分から傾斜部６１ｂと水平部６１ｃとの間の境界線６１ｉ部分にまで、傾斜部６１ｂの軸方向に連続して、または断続的に形成される場合があることを言い、傾斜部６１ｂの軸方向にもリブ６１ｇが形成されることを言う。傾斜部６１ｂの軸方向にもリブ６１ｇが形成されることで、傾斜部６１ｂ自体が軸方向圧縮力を負担するときの座屈に対する安定性も向上する。リブ６１ｇはまた、境界線６１ｈ部分から連続し、垂直部６１ａに形成される場合の他、境界線６１ｉ部分から連続し、水平部６１ｃに形成される場合もある。
【００２３】
リブ６１ｇの形成方法は問われないが、例えば傾斜部６１ｂの裏面（野縁３側の面）側、もしくは表面（上面側の面）側からプレス加工等をし、傾斜部６１ｂの表面側、もしくは裏面側へ突出する突起を形成する方法、傾斜部６１ｂの表面側や裏面側に棒状（線状）の別部品を溶接、または接着する方法等が考えられる。
【００２４】
このように少なくとも傾斜部６１ｂと垂直部６１ａとの間、及び傾斜部６１ｂと水平部６１ｃとの間にリブ６１ｇを形成した場合（請求項２）には、支持部材６の使用上、境界線６１ｈ、６１ｉ（交線）が傾斜部６１ｂと水平部６１ｃがそれぞれ垂直部６１ａと傾斜部６１ｂに対し、境界線６１ｈ、６１ｉの回りに容易に回転できない剛な状態にあることになる。このことは反面、主構成材６１の水平部６１ｃが受ける野縁３軸方向の力（水平力）が傾斜部６１ｂと垂直部６１ａに曲げモーメントとして伝達されることでもある。
【００２５】
請求項２では境界線６１ｈ、６１ｉ部分に、または境界線６１ｈ、６１ｉ部分と傾斜部６１ｂにリブ６１ｇが形成されることで、これらの部分は曲げモーメントによる曲げ変形に対して補剛された状態にある。但し、水平部６１ｃからの野縁３軸方向の力に伴い、垂直部６１ａに曲げモーメントが伝達されるため、垂直部６１ａをも曲げ変形に対して補剛する必要が生じ得、前記のように境界線６１ｈのリブ６１ｇを垂直部６１ａにまで延長させ、垂直部６１ａの高さ方向に連続的に形成することを必要とすることも想定される。
【００２６】
一方、請求項２とは逆に、傾斜部６１ｂと垂直部６１ａを両者間の境界線６１ｈ（水平軸）の回りに互いに回転可能な状態にすれば（請求項３）、水平部６１ｃが受ける野縁３軸方向の力に起因して垂直部６１ａに曲げモーメントを生じさせることを回避することが可能になるため、境界線６１ｈのリブ６１ｇを垂直部６１ａにまで延長させる必要がなくなり、主構成材６１の形状自体を簡素化することも可能になる。「傾斜部６１ｂと垂直部６１ａが境界線６１ｈの回りに互いに回転可能な状態」は、傾斜部６１ｂと垂直部６１ａがヒンジやそれに類する部品を介して連結されるか、水平部６１ｃからの想定される野縁３軸方向の力が実質的に傾斜部６１ｂから垂直部６１ａに伝達されない状態に連結されることで得られる。
【００２７】
この場合、主構成材６１の水平部６１ｃが受ける野縁３軸方向の力が傾斜部６１ｂと垂直部６１ａ、及び交線に曲げモーメントが生じさせることがないため、境界線６１ｈを含め、垂直部６１ａを曲げモーメントの負担から解放させることが可能であり、垂直部６１ａを曲げモーメントに対して補剛する必要がなくなる。
【００２８】
前記のように野縁受け４は支持部材６を構成する主構成材６１と補助材６２に野縁受け４の幅方向に挟持されるが、このことは詳しくは、図１、図４に示すように主構成材６１の垂直部６１ａの一部が野縁受け４の高さ方向の一部区間に重なり、野縁受け４の幅方向（野縁３軸方向）片側に係合し得る状態にある（請求項４）、と言い換えられる。「係合し得る状態」とは、垂直部６１ａが野縁受け４に接触した状態にあることと、垂直部６１ａが傾斜部６１ｂからの軸方向力を受けた直後に野縁受け４に接触できるよう、僅かな隙間が形成されていることを含む。図面では垂直部６１ａの下方寄りの幅方向両側に屈曲して形成され、垂直部６１ａの面に垂直な面をなすフランジ６１ｅにおいて野縁受け４にその幅方向に係合させている。
【００２９】
この場合、垂直部６１ａの一部が野縁受け４の幅方向に係合することで、野縁受け４を主構成材６１、もしくは補助材６２を含む支持部材６に組み合わせるときに、野縁受け４を主構成材６１に対して野縁受け４の幅方向に位置決めし易くなる利点が得られる。
【００３０】
前記のように主構成材６１の傾斜部６１ｂがその軸方向の力（圧縮力と引張力）を負担するとき、その力の水平成分は垂直部６１ａに伝達され、垂直部６１ａから補助材６２に流れる。ここで、垂直部６１ａの一部が野縁受け４の幅方向（野縁３軸方向）片側に係合し得る状態にあれば（請求項４）、傾斜部６１ｂの軸方向圧縮力の水平成分が直接、野縁受け４にも伝達されるため、ハンガー２を介して吊りボルト１に伝達することができる。
【００３１】
結果的に主構成材６１の垂直部６１ａは野縁受け４の幅方向の水平力に対して補強される効果も得られるため、垂直部６１ａの曲げ変形に対する安全性が向上する。また垂直部６１ａから野縁受け４への力の伝達の結果、主構成材６１の負担が軽減され、主構成材６１の垂直部６１ａが傾斜部６１ｂの軸方向圧縮力の水平成分を負担することによる変形を回避することが可能になる。
【００３２】
主構成材６１の垂直部６１ａの幅方向両側（野縁受け４の長さ方向両側）には、ハンガー２を野縁受け４の軸方向に挟み込んで対向し、天井ブレース５が接合される側面垂直部６１ｆ、６１ｆが形成されるが（請求項５）、主構成材６１が野縁受け４の軸方向の力を受けたときに側面垂直部６１ｆが垂直部６１ａに対して曲げ変形、あるいは捩り変形を起こす可能性がある。側面垂直部６１ｆが一旦、垂直部６１ａに対して変形すれば、この変形が進行し、側面垂直部６１ｆに接合された天井ブレース５からの軸方向引張力により対向する側面垂直部６１ｆ、６１ｆ間の距離が増大し、天井ブレース５と吊りボルト１がトラスを形成する状態が失われる可能性が高まる。
【００３３】
そこで、図１に示すように野縁受け４の軸方向に対向する側面垂直部６１ｆ、６１ｆと垂直部６１ａの頂部に跨り、水平板６３を形成するか、もしくは一体化させることで（請求項５）、側面垂直部６１ｆ、６１ｆと垂直部６１ａの一体性を強め、側面垂直部６１ｆ、６１ｆの剛性を高めることができる。結果として側面垂直部６１ｆ、６１ｆの変形を抑制し、天井ブレース５と吊りボルト１がトラスを形成した状態を維持し易くなる。水平板６３は例えば側面垂直部６１ｆ、６１ｆと垂直部６１ａの頂部に鉛直方向に嵌合するか、溶接や接着される等により側面垂直部６１ｆ、６１ｆと垂直部６１ａに一体化する、または一体的に挙動可能に一体性を確保する。
【発明の効果】
【００３４】
支持部材を構成し、天井ブレースと野縁が接続される主構成材が、主構成材と共にハンガーを保持する補助材に重なり、互いに接合される垂直部から下方へかけて補助材から遠ざかる向きに傾斜した傾斜部を有することで、傾斜部に野縁軸方向の水平方向の力と鉛直方向の力を負担させることができる。
【００３５】
この結果、傾斜部は野縁軸方向の力である水平方向の力を傾斜部の軸方向の力として負担することができるため、傾斜部と垂直部の境界部分に野縁軸方向の力を集中させることがなくなり、傾斜部と垂直部の境界部分が野縁軸方向の力を受けることによる面外方向への変形に対する安定性が向上する。
【図面の簡単な説明】
【００３６】
【図１】本発明の支持部材と吊りボルト、野縁及び野縁受けの関係を示した斜視図である。
【図２】図１の支持部材を構成する主構成材に天井ブレースが接合された様子を示した斜視図である。
【図３】図２に示す支持部材が主構成材と補助材に分離した様子を示した斜視図である。
【図４】図１に示す支持部材と野縁及び野縁受けがトラスを形成している様子と野縁軸方向の力を支持部材が負担している様子を示した野縁受け軸方向の縦断面図である。
【図５】野縁と野縁受け、天井ブレースの架設状態を示した斜視図である。
【図６】従来（特許文献３）の支持部材の主構成材が野縁軸方向の力を支持部材が負担している様子を示した野縁受け軸方向の縦断面図である。
【発明を実施するための形態】
【００３７】
図１は上部の躯体から懸垂する吊りボルト１の下端部に接続され、野縁３を支持する野縁受け４を支持するハンガー２を保持し、上部の躯体と吊りボルト１の下端部との間に架設される天井ブレース５を受ける支持部材６と吊りボルト１と、野縁３及び野縁受け４の配置状態を示す。上部の躯体は図示しないが、上階の床スラブ、もしくは屋根スラブ、または屋根架構等である。
【００３８】
ハンガー２は図２、図３に示すように例えば単一部品で野縁受け４を幅方向に挟み込みながら野縁受け４が載置可能な、下から支持できるフック形状をし、野縁受け４幅方向片側の部分が吊りボルト１側へ延長して水平に屈曲し、この屈曲した水平部２ａが吊りボルト１の下端部に螺合等により接続されることにより吊りボルト１に支持される。図面では吊りボルト１の下端部に切られた雄ねじをハンガー２の水平部２ａに螺合させるか、挿通させ、水平部２ａの両面側からナット１ａ、１ａを締結している。
【００３９】
支持部材６は天井ブレース５と野縁３が接続される主構成材６１と、主構成材６１と共にハンガー２を野縁３の軸方向に挟み込みながら、主構成材６１に接続される補助材６２を構成要素として備える。天井ブレース５は図５に示すように上部の躯体と吊りボルト１の下端部との間に架設され、下端部において支持部材６の主構成材６１に接続（接合）される。
【００４０】
主構成材６１は図２〜図４に示すように上方側から見れば、補助材６２に重なり、補助材６２に接合される垂直部６１ａと、垂直部６１ａの下方に連続しながら垂直部６１ａに対して傾斜し、垂直部６１ａから下方へかけて補助材６２から遠ざかる向きに傾斜する傾斜部６１ｂと、傾斜部６１ｂに連続しながら傾斜部６１ｂに対して傾斜し、野縁３に重なって接合され、野縁３を支持する水平部６１ｃを少なくとも有する。垂直部６１ａは平坦な形状である場合、野縁受け４の軸方向に平行な面をなし、水平部６１ｃは平坦である場合、実質的に水平面をなす。
【００４１】
図面では水平部６１ｃの幅方向両側に野縁３の幅方向両側面に重なる垂下片６１ｄ、６１ｄを形成し、垂下片６１ｄ、６１ｄを野縁３の幅方向両側面に重ね、両者を貫通するねじ等の連結材７により水平部６１ｃを野縁３に接合しているが、水平部６１ｃの野縁３への接合方法はこれには限られない。
【００４２】
補助材６２は主構成材６１の垂直部６１ａの下方寄りの部分と共に野縁受け４をその幅方向に挟持し得る垂直部６２ａと、垂直部６２ａの上端部に連続して主構成材６１側へ屈曲し、野縁受け４の上面に重なる張出部６２ｂと、張出部６２ｂの主構成材６１側の先端部から屈曲して立ち上がり、主構成材６１の垂直部６１ａに重なる立上り部６２ｃと、垂直部６２ａの下端部から野縁３軸方向のいずれかの側へ張り出し、野縁３を支持する水平部６２ｄを少なくとも有する。
【００４３】
主構成材６１の垂直部６１ａの下方寄りの部分の、補助材６２の垂直部６２ａと共に野縁受け４を幅方向に挟持し得る部分は必ずしも図４に示すように垂直部６２ａと共に野縁受け４を挟んでいる必要はなく、野縁受け４より上に位置することもある。補助材６２が主構成材６１に接合されたとき、補助材６２の垂直部６２ａと主構成材６１の垂直部６１ａ間には野縁受け４の幅程度の間隔、またはこれに後述のフランジ６１ｅの幅を加えた程度の間隔が確保される。この垂直部６２ａと垂直部６１ａ間の間隔の確保により両垂直部６２ａ、６１ａが野縁受け４をその幅方向に挟持することになる。
【００４４】
補助材６２の水平部６２ｄは図３、図４に示すように垂直部６２ａの下端部から主構成材６１側、もしくはその反対側へ張り出し、野縁３内に差し込まれて野縁３に上側へ係合し、野縁３の上面を野縁受け４の下面に密着させることにより間接的に野縁受け４を張出部６２ｂと共に高さ方向に挟持し、保持する。水平部６２ｄは野縁３の内部に差し込まれたときに野縁３が載置可能な形状をする。
【００４５】
補助材６２の水平部６２ｄは野縁３の軸方向の相対移動により野縁３の上面の内周に差し込まれることで、主構成材６１の水平部６１ｃと共に野縁３を支持する。図面では野縁３に上方が開放したリップ溝形鋼を使用していることに伴い、野縁３のリップ部分に内周側から係合する係合片６２ｅ、６２ｅを水平部６２ｄの幅方向両側に形成し、この係合片６２ｅ、６２ｅが野縁３を支持しているが、水平部６２ｄの形状はこれには限られない。
【００４６】
補助材６２の立上り部６２ｃは例えば主構成材６１の垂直部６１ａのハンガー２側の面に重なり、両者を貫通するねじ等の連結材７により主構成材６１に接合される。補助材６２の立上り部６２ｃが主構成材６１の垂直部６１ａに接合された状態では、補助材６２の垂直部６２ａが主構成材６１の垂直部６１ａと共に野縁受け４をその幅方向に挟持して保持し、野縁受け４を幅方向に拘束した状態になる。
【００４７】
同時に補助材６２の張出部６２ｂが野縁受け４の上面に載置されることで、支持部材６が野縁受け４に支持されるため、野縁受け４を支持したハンガー２に支持部材６が支持された状態になる。補助材６２の張出部６２ｂはまた、前記のように水平部６２ｄが野縁３に上側へ係合したときに野縁３と共に野縁受け４を高さ方向に挟持し、保持する。
【００４８】
図４に示すように支持部材６が野縁受け４に支持され、支持部材６を構成する主構成材６１と補助材６２の各水平部６１ｃ、６２ｄが野縁３を支持することで、野縁３は野縁受け４を支持したハンガー２を通じて吊りボルト１に支持されることになる。
【００４９】
主構成材６１の傾斜部６１ｂは垂直部６１ａの下端から補助材６２の反対側へ屈曲した状態で形成されるが、傾斜部６１ｂは垂直部６１ａには、垂直部６１ａとの交線である垂直部６１ａとの境界線６１ｈの回りに容易に回転できない状態に接合されているか連続している場合と、境界線６１ｈの回りに容易に回転できる状態に接合されているか連続している場合がある。傾斜部６１ｂと垂直部６１ａの境界線６１ｈ（交線）は図４に示すように野縁受け４の軸方向に平行な水平軸になる。
【００５０】
傾斜部６１ｂが垂直部６１ａとの交線の回りに容易に回転できない状態は傾斜部６１ｂが垂直部６１ａに溶接等により接合されるか、傾斜部６１ｂを垂直部６１ａに対して折り曲げ加工する等により可能になる。この場合、傾斜部６１ｂが野縁３から受ける軸方向の力（水平力）が境界線６１ｈ（交線）を介して垂直部６１ａに伝達可能で、境界線６１ｈを含め、傾斜部６１ｂと垂直部６１ａが境界線６１ｈ回りの曲げモーメントを負担し得る状態にある。
【００５１】
この傾斜部６１ｂと垂直部６１ａ間の境界線６１ｈ部分と傾斜部６１ｂを曲げモーメントに対して補強するために、図１では水平部６１ｃと傾斜部６１ｂ間の境界線６１ｉ部分から境界線６１ｈ部分までの区間に連続し、これらの部分に曲げ剛性を付与するリブ６１ｇを形成している。リブ６１ｇは境界線６１ｈ部分から垂直部６１ａに鉛直方向に連続して形成される場合も、境界線６１ｉ部分から水平部６１ｃに水平方向に連続して形成される場合もある。
【００５２】
図１では境界線６１ｉ部分から境界線６１ｈ部分までに亘り、水平部６１ｃと傾斜部６１ｂ及び垂直部６１ａ自体を裏面側からプレス加工することによりリブ６１ｇを形成しているが、リブ６１ｇの形成方法と形成面は問われない。水平部６１ｃと傾斜部６１ｂ及び垂直部６１ａは境界線６１ｈ回りの曲げモーメントを負担するため、リブ６１ｇは傾斜部６１ｂの軸方向である傾斜方向に連続して形成される。図１では傾斜部６１ｂの軸方向に連続するリブ６１ｇを傾斜部６１ｂの幅方向に２本、形成しているが、幅方向のリブ６１ｇの形成数は任意である。
【００５３】
傾斜部６１ｂが垂直部６１ａとの境界線６１ｈの回りに容易に回転できる状態は傾斜部６１ｂと垂直部６１ａがヒンジ等に連結されるか、双方が単純に回転可能な状態で繋がる（連続する）ことにより可能になる。この状態は例えば板要素からなる垂直部６１ａと傾斜部６１ｂの幅方向両側に図４に示すように後述のフランジ６１ｅ、６１ｅを形成した場合に、傾斜部６１ｂと垂直部６１ａを境界線６１ｈ回りに回転可能な状態にしながら、垂直部６１ａのフランジ６１ｅと傾斜部６１ｂのフランジ６１ｅを分離させることによっても得られる。
【００５４】
傾斜部６１ｂが垂直部６１ａとの境界線６１ｈの回りに回転できる場合には、野縁３に接合されている水平部６１ｃに野縁３軸方向の力（水平力）が作用し、傾斜部６１ｂに伝達されたときに、傾斜部６１ｂから境界線６１ｈ部分と垂直部６１ａにその力が伝達されず、境界線６１ｈ部分を含め、傾斜部６１ｂと垂直部６１ａに曲げモーメントが伝達されない利点がある。この場合、境界線６１ｈ部分と垂直部６１ａが曲げモーメントを負担しないで済むため、これらの部分に曲げ変形が生じることが回避される。
【００５５】
主構成材６１の垂直部６１ａの下方寄りの部分は野縁受け４に幅方向に係合しないこともあるが、図面では図１、図４に示すように垂直部６１ａの下方寄りの部分を野縁受け４に幅方向に係合させ、傾斜部６１ｂから垂直部６１ａに伝達された野縁３軸方向の力の一部が野縁受け４に伝達されるようにしている。この場合、垂直部６１ａの下方部分が野縁受け４に補助材６２側へ係合した状態にあることで、水平部６１ｃから傾斜部６１ｂを通じて垂直部６１ａに伝達される野縁３軸方向の、主構成材６１側から補助材６２側へ向かう水平力の一部を野縁受け４に伝達させることができるため、この水平力を主構成材６１と補助材６２のみが負担する場合より支持部材６の負担が軽減される利点がある。
【００５６】
この垂直部６１ａの下方寄りの部分はまた、補助材６２と共に野縁受け４をその幅方向に挟持する状態になるため、互いに組み合わせられ、本接合前の主構成材６１と補助材６２（支持部材６）に対して野縁受け４を後から差し込む場合に、野縁受け４をその幅方向に支持部材６に対して位置決めした状態で差し込むことを可能にする役目も有する。
【００５７】
なお、主構成材６１の垂直部６１ａと傾斜部６１ｂは共に、平坦な板要素のみからなることもあるが、図面では垂直部６１ａと傾斜部６１ｂ自体が面外方向の力を受けることによる曲げ変形に対する補剛等の目的で、図４に示すように垂直部６１ａと傾斜部６１ｂの本体の幅方向両側に本体に直交する面をなすフランジ６１ｅ、６１ｅを形成している。垂直部６１ａにフランジ６１ｅ、６１ｅが形成される場合、垂直部６１ａは野縁受け４にはフランジ６１ｅ、６１ｅにおいて野縁受け４の幅方向に係合する。図面では前記のように傾斜部６１ｂのフランジ６１ｅと垂直部６１ａのフランジ６１ｅを切り離しているが、図１に示すように傾斜部６１ｂと垂直部６１ａが境界線６１ｈ回りに回転可能でない場合もある。
【００５８】
主構成材６１には前記の通り、図２、図５に示すように天井ブレース５も接合されるため、垂直部６１ａの幅方向両側には天井ブレース５の下端部が重なり、接合されるための側面垂直部６１ｆが垂直部６１ａの、フランジ６１ｅを除く本体部に対し、垂直に屈曲して形成される。天井ブレース５は側面垂直部６１ｆには溶接により、または連結材７等により接合される。図５は野縁３が既存の天井に後から追加された架設（後付け）された場合の施工例を示している。
【００５９】
天井ブレース５は図２に示すように支持部材６の幅方向（野縁受け４の軸方向）片側に接合されることから、側面垂直部６１ｆは垂直部６１ａの幅方向片側にのみ形成れれればよいが、主構成材６１自体に天井ブレース５からの軸方向力を受けることによる捩りに対する安定性（変形しにくさ）を持たせるために、図面では側面垂直部６１ｆ、６１ｆを垂直部６１ａの幅方向両側に形成している。天井ブレース５を主構成材６１の垂直部６１ａのフランジ６１ｅ等に接合できる場合には、必ずしも側面垂直部６１ｆ、６１ｆを形成する必要はない。
【００６０】
垂直部６１ａの幅方向両側に側面垂直部６１ｆ、６１ｆを形成した場合に、図２に示すようにいずれか一方の側面垂直部６１ｆに天井ブレース５が接合された場合、天井ブレース５の軸方向力は側面垂直部６１ｆの面内方向を向くため、基本的には天井ブレース５の軸方向力が直接、側面垂直部６１ｆを面外方向に変形させることはない。但し、天井ブレース５に軸方向力が生じながら、野縁受け４の軸方向の相対移動を伴う場合に、側面垂直部６１ｆが面内方向に曲げ変形する可能性がある。
【００６１】
側面垂直部６１ｆに曲げ変形が生じると、図５から分かるように吊りボルト１と天井ブレース５と野縁３が形成するトラスの形状が崩れ、野縁３の軸方向力を天井ブレース５が吊りボルト１と共に分担することができなくなる可能性がある。このような事態に至らないよう、側面垂直部６１ｆの曲げ変形の発生を回避する上では、側面垂直部６１ｆ、６１ｆと垂直部６１ａの頂部に跨り、水平板６３が形成されるか、一体化させられ、側面垂直部６１ｆ、６１ｆと垂直部６１ａの頂部が繋がれる。側面垂直部６１ｆ、６１ｆと垂直部６１ａの頂部が繋がることで、側面垂直部６１ｆ、６１ｆの変形が拘束されるため、側面垂直部６１ｆが垂直部６１ａに対して曲げ変形しにくくなる。
【００６２】
水平板６３は側面垂直部６１ｆ、６１ｆと垂直部６１ａの頂部が形成する開口に上方から嵌合することにより、または落とし込まれて溶接（溶着）、もしくは接着等されることにより図１に示すように前記開口を閉塞した状態で側面垂直部６１ｆ、６１ｆと垂直部６１ａに一体化する。図１では主構成材６１を１枚の板の折り曲げ加工により形成していることから、各側面垂直部６１ｆ、６１ｆの上側にこれに連続する板を張り出した状態で主構成材６１を構成する１枚の板を切り出しておき、この側面垂直部６１ｆ、６１ｆの上側の板を側面垂直部６１ｆ、６１ｆの上端部分において互いに対向する側へ折り曲げて溶接等することによりこの上側の板を互いに重ねた状態で前記開口を閉塞させ、２枚板からなる水平板６３を形成している。
【００６３】
この他、水平板６３は側面垂直部６１ｆ、６１ｆの対向する面に形成された溝に沿って野縁受け４の幅方向にスライドさせられる等により図１に示すように前記開口を閉塞した状態で側面垂直部６１ｆ、６１ｆと垂直部６１ａに一体化させられることもある。水平板６３が一体化したとき、水平板６３には吊りボルト１が貫通する形になるため、水平板６３の、吊りボルト１の貫通位置には挿通孔が形成される。水平板６３がスライドする場合、挿通孔は長孔になる。
【符号の説明】
【００６４】
１……吊りボルト、１ａ……ナット、
２……ハンガー、２ａ……水平部、
３……野縁、
４……野縁受け、
５……天井ブレース、
６……支持部材、
６１……主構成材、６１ａ……垂直部、６１ｂ……傾斜部、６１ｃ……水平部、６１ｄ……垂下片、６１ｅ……フランジ、６１ｆ……側面垂直部、６１ｇ……リブ、６１ｈ……傾斜部と垂直部との間の境界線、６１ｉ……傾斜部と水平部との間の境界線、
６２……補助材、６２ａ……垂直部、６２ｂ……張出部、６２ｃ……立上り部、６２ｄ……水平部、６２ｅ……係合片、
６３……水平板、
７……連結材。
【図１】
0006754210.tif 000002
【図２】
0006754210.tif 000003
【図３】
0006754210.tif 000004
【図４】
0006754210.tif 000005
【図５】
0006754210.tif 000006
【図６】
0006754210.tif 000007